(57)【特許請求の範囲】
【請求項１】
色コンポーネント間予測の基準信号を適応的に設定可能な色コンポーネント間予測型画像符号化装置において、
複数の色コンポーネントからなる入力画像信号から基準信号と非基準信号とを選択する基準信号選択部（３）と、
該非基準信号をイントラ予測し予測モードを求める第１のイントラ予測部（１２）と、
前記基準信号のイントラ復号画像または局所復号画像（以下、「基準復号画像」という）を前記非基準信号の解像度と等しくなるように解像度変換する第１の解像度変換部（１４ａ）と、
該解像度変換された前記基準復号画像を、前記第１のイントラ予測部で求められた予測モードでイントラ予測する第２のイントラ予測部（１４ｃ）と、
前記解像度変換された基準復号画像から、前記第２のイントラ予測部で予測したイントラ予測画像を減算して得られた基準コンポーネント予測残差画像（１５）を、前記非基準信号のイントラ予測の残差信号（ｅ）から減算する減算器（１６）と、
該減算により得られた色コンポーネント間予測誤差信号（ｆ）に符号化処理を施す手段とを具備したことを特徴とする色コンポーネント間予測型画像符号化装置。
【請求項２】
請求項１に記載の色コンポーネント間予測型画像符号化装置において、
前記解像度変換された基準復号画像（１４ｂ）から、前記第２のイントラ予測部（１４ｃ）で予測したイントラ予測画像を減算して得られた信号に線形変換を施して前記基準コンポーネント予測残差画像（１５）を得る第１の線形変換部（１４ｆ）をさらに具備したことを特徴とする色コンポーネント間予測型画像符号化装置。
【請求項３】
請求項１または２に記載の色コンポーネント間予測型画像符号化装置において、
前記第１のイントラ予測部（１２）の前段に、
前記基準復号画像を前記非基準信号の解像度と等しくなるように解像度変換する第２の解像度変換部（３１ａ）と、前記非基準信号から該第２の解像度変換部で得られた基準コンポーネント予測画像（３３）を減算する減算器（３２）とを設けたことを特徴とする色コンポーネント間予測型画像符号化装置。
【請求項４】
請求項３に記載の色コンポーネント間予測型画像符号化装置において、
前記第２の解像度変換部（３１ａ）で解像度変換された基準復号画像に線形変換を施して前記基準コンポーネント予測画像（３３）を得る第２の線形変換部（３１ｂ）をさらに具備したことを特徴とする色コンポーネント間予測型画像符号化装置。
【請求項５】
請求項１ないし４のいずれかに記載の色コンポーネント間予測型画像符号化装置において、
前記基準信号選択部（３）は、最大解像度を有する色コンポーネントを前記基準信号として選択することを特徴とする色コンポーネント間予測型画像符号化装置。
【請求項６】
請求項１または２の色コンポーネント間予測型画像符号化装置で符号化された信号の復号装置において、
前記符号化された信号から基準信号と非基準信号とを判別する判別部（４２）と、
前記基準信号のイントラ復号画像または局所復号画像（以下、「基準復号画像」という）を前記非基準信号の解像度と等しくなるように解像度変換する第３の解像度変換部（５５ａ）と、
該解像度変換された前記基準復号画像を、前記非基準信号の可変長復号から抽出された予測モード（ｄ）でイントラ予測する第３のイントラ予測部（５５ｃ）と、
前記解像度変換された基準復号画像から、前記第３のイントラ予測部で予測したイントラ予測画像を減算して得られた基準コンポーネント予測残差画像（５６）と前記非基準信号の可変長復号結果（５４）である残差信号とを加算して復号残差画像（５８）を得る加算器（５７）と、
前記非基準信号の可変長復号から抽出された予測モード（ｄ）でイントラ予測して得たイントラ予測画像（６０）と、前記復号残差画像（５８）とを加算する加算器（５９）とを具備することを特徴とする復号装置。
【請求項７】
請求項６に記載の復号装置において、
前記解像度変換された基準復号画像から、前記第３のイントラ予測部（５５ｃ）で予測したイントラ予測画像を減算して得られた信号に、前記非基準信号の可変長復号から抽出された第１の予測係数を適用した線形変換を施して前記基準コンポーネント予測残差画像（５６）を得る第３の線形変換部（５５ｆ）をさらに具備したことを特徴とする復号装置。
【請求項８】
請求項６に記載の復号装置において、
前記基準復号画像を前記非基準信号の解像度と等しくなるように解像度変換する第４の解像度変換部（７１ａ）と、前記非基準信号の可変長復号から抽出された第２の予測係数を適用した線形変換を施して基準コンポーネント予測画像（７２）を得る第４の線形変換部（７１ｂ）と、該基準コンポーネント予測画像（７２）にイントラ復号画像（６１）を加算して非基準信号の復号画像を得る加算器（７３）とをさらに具備したことを特徴とする復号装置。
【発明の詳細な説明】
【技術分野】
【０００１】
本発明は色コンポーネント間予測型画像符号化装置および復号装置に関し、特に高精細映像を対象とした高能率圧縮符号化のためおよびこれを復号するための色コンポーネント間予測型画像符号化装置および復号装置に関する。 
【背景技術】
【０００２】
ハードディスクレコーダやVTRなどの、蓄積用途での圧縮符号化方式は、RGBに代表される４：４：４の色空間、および４：２：２の色空間をサポートする必然性が高い。このような圧縮符号化方式において符号化効率を高めるための従来技術として、以下のようなものがある。
【０００３】
下記の特許文献１では、４：４：４の映像入力を対象として、符号化に先立って色コンポーネント間での予測参照を行い、残差信号のみを後段の符号化処理で扱うことで、符号化性能の改善を図っている。
【０００４】
また、特許文献２では、色コンポーネント間予測の適用対象として、入力画像信号そのものとする場合、およびフレーム内予測により得られた残差信号とする場合のいずれかを、入力画像の解析によって決定することを提案している。
【０００５】
また、非特許文献１には、色コンポーネント間予測の適用対象として、フレーム内予測により得られた残差信号とする場合に、高い符号化性能を達成できることが示されている。
【先行技術文献】
【特許文献】
【０００６】
【特許文献１】特開２００６−３１０９４１号公報
【特許文献２】特願２００９−８５６６１号
【非特許文献】
【０００７】
【非特許文献１】２００９年画像符号化シンポジウム予稿集  「H.264のIntra予測残差に対するチャネル間予測の一検討」
【発明の概要】
【発明が解決しようとする課題】
【０００８】
前記４：４：４の映像信号に対しては、色コンポーネント間予測を効果的に活用でき、高い圧縮性能を達成することができる。しかしながら、前記の特許文献および非特許文献に記されている技術では、４：４：４の映像を主な適用対象としており、４：２：２映像や４：２：０映像などの、輝度信号が独立した色空間への適用を想定したものではなかった。
【０００９】
４：２：２映像や４：２：０映像などの、輝度信号が独立した色空間では、通常、輝度信号と色差信号で適用される符号化手法が異なることに起因し、特に予測残差信号に対して色コンポーネント間予測を適用するケースでは、圧縮性能の改善が限定的であった。これは、色コンポーネント毎に異なる符号化手法を適用したために、残差信号の色コンポーネント間の相関が低下し、圧縮性能に波及したためである。
【００１０】
本発明は、前記した従来技術の課題に鑑みてなされたものであり、その目的は色コンポーネント間での符号化手法の違いを許容した上で、残差信号に対する色コンポーネント間予測の性能低下を低減できる、色コンポーネント間予測型画像符号化装置および復号装置を提供することにある。
【課題を解決するための手段】
【００１１】
前記した目的を達成するために、本発明は、色コンポーネント間予測の基準信号を適応的に設定可能な色コンポーネント間予測型画像符号化装置において、複数の色コンポーネントからなる入力画像信号から基準信号と非基準信号とを選択する基準信号選択部（３）と、該非基準信号をイントラ予測し予測モードを求める第１のイントラ予測部（１２）と、前記基準信号のイントラ復号画像または局所復号画像（以下、「基準復号画像」という）を前記非基準信号の解像度と等しくなるように解像度変換する第１の解像度変換部（１４ａ）と、該解像度変換された前記基準復号画像を、前記第１のイントラ予測部で求められた予測モードでイントラ予測する第２のイントラ予測部（１４ｃ）と、前記解像度変換された基準復号画像から、前記第２のイントラ予測部で予測したイントラ予測画像を減算して得られた基準コンポーネント予測残差画像（１５）を、前記非基準信号のイントラ予測の残差信号（ｅ）から減算する減算器（１６）と、該減算により得られた色コンポーネント間予測誤差信号（ｆ）に符号化処理を施す手段とを具備した点に第１の特徴がある。
【００１２】
また、本発明は、前記第１のイントラ予測部（１２）の前段に、前記基準復号画像を前記非基準信号の解像度と等しくなるように解像度変換する第２の解像度変換部（３１ａ）と、前記非基準信号から該第２の解像度変換部で得られた基準コンポーネント予測画像を減算する減算器（３２）とを設けた点に第２の特徴がある。
【００１３】
また、本発明は、復号装置において、前記符号化された信号から基準信号と非基準信号とを判別する判別部（４２）と、前記基準信号のイントラ復号画像または局所復号画像（以下、「基準復号画像」という）を前記非基準信号の解像度と等しくなるように解像度変換する第３の解像度変換部（５５ａ）と、該解像度変換された前記基準復号画像を、前記非基準信号の可変長復号から抽出された予測モード（ｄ）でイントラ予測する第３のイントラ予測部（５５ｃ）と、前記解像度変換された基準復号画像から、前記第３のイントラ予測部で予測したイントラ予測画像を減算して得られた基準コンポーネント予測残差画像（５６）と前記非基準信号の可変長復号結果（５４）である残差信号とを加算して復号残差画像（５８）を得る加算器（５７）と、前記非基準信号の可変長復号から抽出された予測モード（ｄ）でイントラ予測して得たイントラ予測画像（６０）と、前記復号残差画像（５８）とを加算する加算器（５９）とを具備した点に第３の特徴がある。
【発明の効果】
【００１４】
本発明の符号化装置および／または復号装置によれば、４：２：２信号や４：２：０信号などの、輝度信号が独立した色空間においても、残差信号に対する色コンポーネント間予測の性能低下を低減できるようになる。このため、色コンポーネント間予測を高精度に機能させることができるようになる。
【００１５】
特に、基準信号のイントラ復号画像または局所復号画像（「基準復号画像」）を、非基準信号と同一の解像度に変換した上で、該非基準信号に適用したイントラ予測（フレーム内予測）を施して、基準コンポーネント予測残差画像を得るようにしたので、残差信号に対する色コンポーネント間予測の性能低下を低減できるようになる。このため、色コンポーネント間予測を高精度に機能させることができ、符号量を削減できるようになる。
【００１６】
本発明者の実験結果では、概ね１０％程度の符号量の削減が確認できた。
【図面の簡単な説明】
【００１７】
【図１】本発明の第１実施形態の概略の構成を示すブロック図である。
【図２】図１の第１のコンポーネント間予測部の一具体例の構成を示すブロック図である。
【図３】本発明の第２実施形態の概略の構成を示すブロック図である。
【図４】図３の第２のコンポーネント間予測部の一具体例の構成を示すブロック図である。
【図５】前記第１実施形態に対応する復号装置の概略の構成を示すブロック図である。
【図６】図５の第１のコンポーネント間予測部の一具体例の構成を示すブロック図である。
【図７】前記第２実施形態に対応する復号装置の概略の構成を示すブロック図である。
【図８】図７の第２のコンポーネント間予測部の一具体例の構成を示すブロック図である。
【発明を実施するための形態】
【００１８】
以下に、図面を参照して、本発明を詳細に説明する。動画像符号化において、色コンポーネント間での予測を行う方式または方法として、（１）入力画像そのものを対象とする方式または方法、（２）色コンポーネント別にフレーム内予測を適用した際の残差信号を対象とする方式または方法がある。これらのうち、前者の（１）については、入力画像の予測を、局所復号画像の参照によって行うため、色コンポーネント毎の符号化手法の違いが効率低下に波及することはない。
【００１９】
本発明は、後者の（２）を対象とするものである。この（２）は、次の２つのケースに分けることができる。
【００２０】
（ａ）色コンポーネント間での予測を行う方式または方法として、色コンポーネント別にフレーム内予測（イントラ予測）を適用した際の残差信号を対象とする方式または方法を、単独で適用するケース。
【００２１】
（ｂ）色コンポーネント間での予測を行う方式または方法として、入力画像そのものを対象とする方式または方法と、色コンポーネント別にフレーム内予測（イントラ予測）を適用した際の残差信号を対象とする方式または方法とを、併用するケース。
【００２２】
次に、前記（ａ）と（ｂ）のケースの符号化装置の実施形態を個別に説明する。以下では、Ｈ．２６４／ＡＶＣ方式などの画像圧縮方式を用いて説明するが、本発明はこの画像圧縮方式に限定されるものではなく、他の画像圧縮方式を用いたものであってもよい。
【００２３】
まず、本発明の第１実施形態（前記（ａ）のケース）の構成及び動作を、図１のブロック図を参照して説明する。なお、以下で説明する処理は、マクロブロック単位で繰り返される。
【００２４】
４：２：２映像や４：２：０映像などの、輝度信号が独立した入力画像１が入力されると、前処理解析部２では、入力画像１の色コンポーネント（輝度信号および色差信号）の例えば解像度などの解析を行う。基準信号選択部３では基準信号とする色コンポーネント（基準コンポーネント）を選択する。例えば、前処理解析部２で求められた色コンポーネントの解像度に従い、解像度の最も大きい色コンポーネントを基準信号として選択する。一般的には、輝度信号（Ｙ）が基準信号（基準コンポーネント）となり、色差信号（Ｃｂ，Ｃｒ）が非基準信号（非基準コンポーネント）となることが多い。
【００２５】
基準信号ａはイントラ予測部４に送られ、一方非基準信号ｂは減算器１１とイントラ予測部１２に送られる。該イントラ予測部４、１２は、例えばＨ．２６４／ＡＶＣ方式のイントラ予測を行う。基準信号ａは、イントラ予測部４でイントラ予測され、符号量最小、ＲＤコスト最小、又は／及び誤差電力最小の予測モードが選択される。次いで、基準信号ａはＤＣＴ部５で直交変換され、直交変換係数は量子化部６で量子化される。続いて、可変長符号化部７で可変長符号化され出力される。また、該可変長符号化部７で可変長符号化された信号は、イントラ復号部８に入力されイントラ復号される。イントラ復号部８からは、基準コンポーネントのイントラ復号画像ｃが出力される。この基準コンポーネントのイントラ復号画像ｃは、第１のコンポーネント間予測部１４に送られる。その理由は後述する。なお、可変長符号化部７で可変長符号化した信号からイントラ復号せずに、量子化部６で量子化された信号を逆量子化、逆ＤＣＴして得た局所復号画像ｃを第１のコンポーネント間予測部１４に送るようにしてもよい。
【００２６】
次に、非基準信号ｂは、イントラ予測部１２でイントラ予測され、符号量最小、ＲＤコスト最小、又は／及び誤差電力最小の予測モードが選択される。Ｈ．２６４／ＡＶＣ方式では、例えば４×４画素のブロックについて、予測モード０〜８の９種類があるので、そのうちの前記符号量等の最小の予測モードが選択される。該選択された予測モードｄは、第１のコンポーネント間予測部１４に通知されると共に、可変長符号化部１９に送られる。また、該選択された予測モードに従って得られたイントラ予測画像１３は、減算器１１で非基準信号ｂから減算されて、フレーム内予測の残差信号ｅが得られる。この残差信号ｅは、減算器１６に送られると共に第１のコンポーネント間予測部１４へ送られる。
【００２７】
ここで、該第１のコンポーネント間予測部１４の具体例を、図２のブロック図を参照して説明する。該第１のコンポーネント間予測部１４は、前記基準コンポーネントのイントラ復号画像ｃまたは局所復号画像ｃが入力する解像度変換部１４ａ、該解像度変換部１４ａで非基準信号ｂと同じ解像度に変換された変換後基準画像１４ｂ、該変換後基準画像１４ｂを前記予測モードｄでイントラ予測するイントラ予測部１４ｃ、該イントラ予測に従って得られたイントラ予測画像１４ｄ、変換後基準画像１４ｂとイントラ予測画像１４ｄから予測残差ｘを得る減算器１４ｅ、該予測残差ｘを線形変換して得られる線形変換後の残差信号ｙ、つまり出力ｙを出力する線形変換部１４ｆから構成されている。ここに、解像度変換部１４ａは、例えば画面を構成するサンプル数が非基準信号のそれと同一となるように、基準信号のイントラ復号画像ｃまたは局所復号画像ｃを変換する。また、線形変換部１４ｆは、ｙ＝αｘ＋βの線形変換をする。該予測係数α、βは、出力ｙが前記フレーム内予測の残差信号ｅに近くなるように決められる。該予測係数α、βは第１の予測係数ｚ１として、可変長符号化部１９に送られる。前記出力ｙは、基準コンポーネント予測残差画像１５と同じものである。
【００２８】
次に、前記のようにして得られた基準コンポーネント予測残差画像１５は減算器１６で前記フレーム内予測の残差信号ｅから減算されて、フレーム内予測の残差信号の色コンポーネント間予測誤差信号ｆが形成される。該基準コンポーネント予測残差画像１５は前記したように、解像度変換部１４ａで非基準信号の解像度と等しくされた後非基準信号のイントラ予測と同じイントラ予測を施し、該イントラ予測前後の信号から基準コンポーネント予測残差信号１５を得るようにしているので、残差信号に対する色コンポーネント間予測の性能低下を低減できるようになる。さらに、該残差信号を、前記線形変換部１４ｆで残差信号ｅに近くなるように補正しているので、色コンポーネント間予測誤差信号ｆは、さらに小さくなり符号量が低減される。
【００２９】
次に、該色コンポーネント間予測誤差信号ｆは、ＤＣＴ部１７でＤＣＴされ、量子化部１８で量子化され、さらに可変長符号化部１９で可変長符号化されて、可変長符号化された前記第１の予測係数ｚ１および予測モードｄと共に出力される。
【００３０】
また、可変長符号化された誤差信号ｇは、局所復号部２０で局所復号されて加算器２１に送られ、該加算器２１で基準コンポーネント予測画像１５と加算されて、復号残差画像２２が形成される。該復号残差画像２２は、加算器２３でイントラ予測画像１３と足し合わされ、イントラ復号画像（非基準コンポーネント）２４が得られる。該イントラ復号画像２４は前記イントラ予測部１２に送られ、参照画素としてイントラ予測に供される。なお、上記の処理は、２つの非基準信号に対して順次行われる。
【００３１】
以上のように、本実施形態によれば、色コンポーネント間の解像度が異なっていても、一方の色コンポーネントの解像度を他方の色コンポーネントの解像度と等しくし、かつ該他方の色コンポーネントに適用したイントラ予測を施した上で処理するようにしているので、色コンポーネント間予測の相関低下を従来方式に比べて大幅に低減することができるようになる。また、色コンポーネント間予測を高精度に機能させることができるので、符号化性能の向上を期待することができる。本発明者の実験結果では、概ね１０％程度の符号量の削減が確認できた。
【００３２】
次に、本発明の第２実施形態（前記（ｂ）のケース）の構成及び動作を、図３のブロック図を参照して説明する。図３において、図１と同じ符号は同一または同等物を示す。
【００３３】
この実施形態は、前記第１実施形態に、入力画像そのものを対象とする方式または方法を付加したものであり、これを実施するために、図１の装置に、第２のコンポーネント間予測部３１、減算器３２および基準コンポーネント予測画像３３が付加されている。
【００３４】
前記第２のコンポーネント間予測部３１は、図４に示すように、解像度変換部３１ａおよび線形変換部３１ｂから構成される。基準コンポーネントのイントラ復号または局所復号画像ｃは解像度変換部３１ａに入力し、非基準信号ｂと同じ解像度に変換される。解像度変換後の基準信号は線形変換部３１ｂに入力し、図２の線形変換部１４ｆと同様の線形変換処理が行われる。つまり、解像度変換後の基準信号ｘが非基準信号ｂ（一般的には、ＣｂまたはＣｒ）に近似するように、ｙ＝γｘ＋δ（γ、δは重み係数または予測係数）の線形変換を施され、出力ｙとして出力される。予測係数γ，δは、第２の予測係数ｚ２として、可変長符号化部１９へ送られる。該出力ｙは、基準コンポーネント予測画像３３と同じものである。
【００３５】
減算器３２は、非基準信号ｂからコンポーネント予測画像３３を減算して残差信号ｉを形成する。該残差信号ｉは、減算器１１とイントラ予測部１２に送られ、イントラ予測部１２からはイントラ予測画像１３が得られる。以降の処理は、第１実施形態と同じであるので、説明を省略する。なお、図１のイントラ予測画像１３およびイントラ復号画像２４は、それぞれイントラ予測画像１３およびイントラ復号画像２４に変えられる。
【００３６】
この実施形態においても、第２のコンポーネント間予測部３１の解像度変換部３１ａにて、基準信号の解像度を非基準信号のそれと同等にした上で、減算器３２で非基準信号から減算するようにしているので、基準信号と非基準信号とを相関させることができるため、基準信号と非基準信号間の相関を従来方式に比べて大幅に高めることができる。換言すれば、色コンポーネント間予測の相関低下を従来方式に比べて大幅に低減することができるようになる。また、符号量を大きく低減できるようになる。
【００３７】
次に、本発明の復号装置について説明する。まず、本発明の第３実施形態（前記（ａ）のケース）の構成及び動作を、図５のブロック図を参照して説明する。
【００３８】
図示されているように、図１の符号化装置から出力された基準信号（基準色コンポーネント）と非基準信号（非基準色コンポーネント）の符号化出力は、回線を経て伝送される場合には該回線を経て、あるいは何らかの記憶装置に蓄積されていた場合には該蓄積装置から読み出される等して、入力ストリーム４１として、復号装置に入力する。該入力ストリーム４１は、基準信号判別部４２にて符号化時に決められた通りの基準信号ｍと非基準信号ｎとに判別される。基準信号ｍのストリームは可変長復号部４３に送られて可変長復号され、次いで逆量子化部４４、逆ＤＣＴ部４５にて順次逆量子化、逆ＤＣＴされる。これらの処理により、基準信号はイントラ復号画像４６とされ、出力される。なお、該イントラ復号画像４６は、第１のコンポーネント間予測部５５にも送られる。
【００３９】
非基準信号ｎのストリームは可変長復号部５１に送られる。該可変長復号により、可変長復号画像信号と予測モードｄと第１の予測係数ｚ１とが得られる。該可変長復号画像信号は逆量子化部５２に送られ、該予測モードｄと第１の予測係数ｚ１は、第１のコンポーネント間予測部５５に送られる。また、該予測モードｄは、イントラ予測部６２にも送られる。
【００４０】
ここで、第１のコンポーネント間予測部５５の一具体例の説明を図６を参照して行う。第１のコンポーネント間予測部５５は、図２の構成とほぼ同じであり、解像度変換部５５ａ、変換後基準画像５５ｂ、イントラ予測部５５ｃ、イントラ予測画像５５ｄ、減算器５５ｅおよび線形変換部５５ｆから構成される。ここで、これらの構成は、図２の解像度変換部１４ａ、変換後基準画像１４ｂ、イントラ予測部１４ｃ、イントラ予測画像１４ｄ、減算器１４ｅおよび線形変換部１４ｆと対応する。図２と違うところは、線形変換部５５ｆに可変長復号部５１の処理で得られた第１の予測係数ｚ１、つまり予測係数αとβが与えられる点だけであるので、線形変換部５５ｆの動作のみ説明し、他の処理部の動作の説明は省略する。線形変換部５５ｆは予測係数α、βが与えられると、図２の線形変換部１４ｆで用いられたｙ＝αｘ＋βの演算を行って出力ｙ、つまり基準コンポーネント予測残差画像５６を再生する。
【００４１】
再び図５に戻って説明を続けると、前記可変長復号画像信号は逆量子化部５２で逆量子化され、次いで逆ＤＣＴ部５２で逆ＤＣＴされ、復号結果５４の誤差信号が得られる。この復号結果５４の誤差信号は、図１の予測誤差信号ｆに相当する。次いで、該復号結果５４の誤差信号は、加算器５７で基準コンポーネント予測残差信号５６と加算され、復号残差画像５８が得られる。該復号残差画像５８は、図１の残差信号ｅに相当する。
【００４２】
続いて、該復号残差画像５８は加算器５９に入力されてイントラ予測画像６０と加算される。この結果、イントラ復号画像６１、つまり非基準信号のイントラ復号画像６１が得られる。このイントラ復号画像６１は復号画像として出力されると共に、イントラ予測部６２に参照画素として送られる。該イントラ予測部６２は、可変長復号部５１から通知された予測モードｄのイントラ予測を行う。なお、前記イントラ復号画像６１は、図１の非基準信号ｂに相当する。
【００４３】
以上のようにして、図１の符号化装置で符号化された基準信号と非基準信号を復号することができ、基準信号と非基準信号とを相関させることができるため画質の良い復号画像を得ることができるようになる。
【００４４】
次に、本発明の第４実施形態（前記（ｂ）のケース）の構成及び動作を、図７のブロック図を参照して説明する。第２のコンポーネント間予測部７１は、図４の構成とほぼ同じであり、図８に示されているように、解像度変換部７１ａおよび線形変換部７１ｂとから構成される。ここで、これらの構成は、図４の解像度変換部３１ａと線形変換部３１ｂとに対応する。図４と違うところは、線形変換部７1ｂに可変長復号部５１の処理で得られた第２の予測係数ｚ２、つまり予測係数γ、δが与えられる点だけである。線形変換部７１ｂは予測係数γ、δが与えられると、図４の線形変換部３１ｂで用いられたｙ＝γｘ＋δの演算を行って出力ｙ、つまり基準コンポーネント予測信号７２を再生する。
【００４５】
再度、図７に戻ると、加算器７３で、該基準コンポーネント予測画像７２にイントラ復号画像６１が加算されて、非基準信号の復号画像が得られる。ここで、図７の復号残差画像５８、イントラ復号画像６１は、それぞれ図３の残差信号ｅ、残差信号ｉに、および加算器７３の出力である復号された非基準画像は図３の非基準信号ｂに相当する。
【００４６】
以上のように、第４実施形態によれば、第１、第２コンポーネント間予測部５５，７１において基準信号と非基準信号とを相関させた上で基準信号と非基準信号を復号することができ、画質の良い復号画像を得ることができるようになる。
【符号の説明】
【００４７】
１・・・入力画像、３・・・基準信号選択部、８・・・イントラ復号部、１４・・・第１のコンポーネント間予測部、１４ａ・・・解像度変換部、１４ｃ・・・イントラ予測部、１４ｆ・・・線形変換部、３１・・・第２のコンポーネント間予測部、３１ａ・・・解像度変換部、３１ｂ・・・線形変換部、４１・・・入力ストリーム、４２・・・基準信号判別部、５５・・・第１のコンポーネント間予測部、５５ａ・・・解像度変換部、５５ｆ・・・線形変換部、７１・・・第２のコンポーネント間予測部、７１ａ・・・解像度変換部、７１ｂ・・・線形変換部。
【図１】
0005586061.tif 000002
【図２】
0005586061.tif 000003
【図３】
0005586061.tif 000004
【図４】
0005586061.tif 000005
【図５】
0005586061.tif 000006
【図６】
0005586061.tif 000007
【図７】
0005586061.tif 000008
【図８】
0005586061.tif 000009